(57)【要約】【課題】  装飾性に優れ且つ合理的に構成された時計を得ること。【解決手段】  指針３００を駆動するムーブメント４００と、ムーブメントを装着する支持体５００と、ムーブメント及び支持体を収納するパイプ体６００と、支持体をパイプ体に固定する固定手段８００とを備え、支持体は、ムーブメントを装着する装着部５１０と、パイプ体の端部を閉鎖する蓋部５３０とを備え、パイプ体は、指針の駆動軸３１０を挿通する孔部６０１を備え、指針は、パイプ体の外部において駆動する構成の時計である。【選択図】図１
2007304047.tif 000002
【特許請求の範囲】
【請求項１】
指針を駆動するムーブメントと、前記ムーブメントを装着する支持体と、前記ムーブメント及び前記支持体を収納するパイプ体と、前記支持体を前記パイプ体に固定する固定手段とを備え、
前記支持体は、前記ムーブメントを装着する装着部と、前記パイプ体の端部を閉鎖する蓋部とを備え、
前記パイプ体は、前記指針の駆動軸を挿通する孔部を備え、
前記指針は、前記パイプ体の外部において駆動することを特徴とする時計。
【請求項２】
前記支持体は、前記パイプ体の内面に当接するリブを備えたことを特徴とする請求項１記載の時計。
【請求項３】
前記パイプ体の端部には凹部を設けるとともに、前記支持体の蓋部には前記凹部と嵌合する凸部を設けたことを特徴とする請求項１又は２記載の時計。
【請求項４】
前記ムーブメントは、これを操作する操作子を備え、
前記パイプ体は、前記操作子を挿通する第２孔部を備えたことを特徴とする請求項１乃至３のいずれか記載の時計。
【発明の詳細な説明】
【技術分野】
【０００１】
本発明は、装飾性を向上してなる時計に関する。
【背景技術】
【０００２】
置時計や壁掛け時計は、インテリアとしての効用も重要であり、そのデザインはますます多様化される傾向にある。通常、この種の時計は、指針を駆動するムーブメントを所定のケースに収納して構成されている。ケースに特徴のある時計は、特許文献１及び２等にも開示されている。
【特許文献１】特開平１１−３２６５４５号公報
【特許文献２】特開２００１−３４９９６７号公報
【発明の開示】
【発明が解決しようとする課題】
【０００３】
さて近年、時計のデザインについては、表面の絵柄や色調の美観のみならず、構造的にもより奇抜で斬新な工夫が必要とされている。また、製造の合理化も重要な要件とされている。本発明は、かかる事情に鑑みてなされたものであり、その目的は、装飾性に優れ且つ合理的に構成された時計を提供することである。
【課題を解決するための手段】
【０００４】
本願第１請求項に記載した発明は、指針を駆動するムーブメントと、前記ムーブメントを装着する支持体と、前記ムーブメント及び前記支持体を収納するパイプ体と、前記支持体を前記パイプ体に固定する固定手段とを備え、前記支持体は、前記ムーブメントを装着する装着部と、前記パイプ体の端部を閉鎖する蓋部とを備え、前記パイプ体は、前記指針の駆動軸を挿通する孔部を備え、前記指針は、前記パイプ体の外部において駆動する構成の時計である。
【０００５】
本願第２請求項に記載した発明は、請求項１において、前記支持体は、前記パイプ体の内面に当接するリブを備えた構成の時計である。
【０００６】
本願第３請求項に記載した発明は、請求項１又は２において、前記パイプ体の端部には凹部を設けるとともに、前記支持体の蓋部には前記凹部と嵌合する凸部を設けた構成の時計である。
【０００７】
本願第４請求項に記載した発明は、請求項１乃至３のいずれかにおいて、前記ムーブメントは、これを操作する操作子を備え、前記パイプ体は、前記操作子を挿通する第２孔部を備えた構成の時計である。
【発明の効果】
【０００８】
本発明によれば、装飾性に優れ且つ合理的に構成された時計を得ることができる。
【発明を実施するための最良の形態】
【０００９】
以下に、本発明の実施例を図面に基づいて説明する。図１乃至６に示す時計は、帯状のリング体２００の中心に配置された一対の指針３００がリング体２００の周方向に回転するように構成されたものである。リング体２００には、その帯状の面と直交する方向にパイプ体６００が貫通されており、指針３００を駆動するムーブメント４００は、パイプ体６００の内部に設けられている。指針３００は、パイプ体６００の外部において駆動する。
【００１０】
この時計は、リング体２００と、指針３００を駆動するムーブメント４００と、ムーブメント４００を装着する支持体５００と、ムーブメント４００及び支持体５００を収納するパイプ体６００と、支持体５００をパイプ体６００に固定する固定手段とを備えたものである。
【００１１】
パイプ体６００は、その一方の端部がリング体２００に貫通されており、他方の端部が第２パイプ体６１０と連結されている。パイプ体６００は、断面円形の金属製又は樹脂製の部材である。第２パイプ体６１０は、パイプ体６００と同じ断面形状を呈する樹脂製又はガラス製の部材である。この第２パイプ体６１０は、透明又は半透明となっており、第２パイプ体６１０の内部には、不図示の発光手段が設けられている。発光手段は、所定のタイミングで発光する構成となっている。尚、第２パイプ体６１０の構成は、これに限定されることはない。不透明の樹脂製又は金属製の部材を用いてもよい。
【００１２】
ムーブメント４００は、モータと、モータの回転を減速して出力部４１０に伝達する減速機構とを小型のケースに収納してなるユニットである。出力部４１０は、ムーブメント４００の正面中央に露呈している。また、本例のムーブメント４００は、これを操作する操作子４２１を備えたものである。この操作子４２１は、指針３００を任意に回転させるための針回しであり、操作子４２１の連結部４２０は、ムーブメント４００の背面中央に露呈している。各指針３００は、パイプ状の駆動軸３１０を備え、各駆動軸３１０は、それぞれムーブメント４００の出力部４１０に圧入嵌合して設けられる。また、操作子４２１は、連結部４２０に圧入嵌合して設けられる。
【００１３】
支持体５００は、金型成形してなる樹脂製の部材であり、ムーブメント４００を装着する装着部５１０と、他の電子装置７００を装着する第２装着部５２０と、パイプ体６００の一方の端部を閉鎖する蓋部５３０と、パイプ体６００の内面に当接するリブ５４０とを備えている。他の電子装置７００とは、回路基板や標準時刻電波受信用のアンテナ等である。ムーブメント４００及び他の電子装置７００は、装着部５１０及び第２装着部５２０にそれぞれねじ止めにより装着される。装着部５１０及び第２装着部５２０の要所には、それぞれ雌ねじ部５１１,５２１が設けられている。また、装着部５１０には、出力部４１０に対応する開口部５１２が設けられている。
【００１４】
パイプ体６００は、その正面要所に指針３００の駆動軸３１０を挿通する孔部６０１を備え、その背面要所に操作子を挿通する第２孔部６０２を備えている。また、パイプ体６００の端部には凹部６０３を設けるとともに、支持体５００の蓋部５３０には凹部６０３と嵌合する凸部５３１を設けている。支持体５００は、パイプ体６００に対し、凹部６０３と凸部５３１を嵌合することにより位置決めされる。支持体５００が位置決めされると、出力部４１０及び連結部４２０が、孔部６０１及び第２孔部６０２の奥にそれぞれ位置することとなり、指針３００及び操作子４２１は、その状態で支持体５００をパイプ体６００に固定した後に、パイプ体６００の外部から組み付けられる。
【００１５】
支持体５００をパイプ体６００に固定する固定手段としては、雄ねじ部品８００を用いる構成を採用している。すなわち、支持体５００に雄ねじ部品８００を螺合する雌ねじ部５５０を設けるとともに、パイプ体６００に雄ねじ部品８００を挿通する通孔６０４を設け、雄ねじ部品８００をパイプ体６００の外部から通孔６０４に挿通しつつ雌ねじ部５５０に螺合することにより、支持体５００をパイプ体６００に固定する。パイプ体６００の内面に当接するリブ５４０は、雄ねじ部品８００を螺合する際に支持体５００にかかる負荷を支えるものとなっている。このようなリブ５４０を設けることによれば、支持体５００の機械的強度を向上するとともに、雄ねじ部品８００の螺合を安定的に行うことが可能となる。
【００１６】
以上説明したように、本例の時計は、奇抜で斬新なデザインであるとともに、製造を容易に行うべく構造的合理化を達成してなるものである。尚、本例における各部の構成は、特許請求の範囲に記載した技術的範囲において適宜に設計変更が可能であり、図例説明したものに限定されないことは勿論である。例えば、本例では断面円形のパイプ体を採用したが、或は図７に示すように、断面矩形のパイプ体を採用することも可能である。
【産業上の利用可能性】
【００１７】
本発明の時計は、そのデザイン性を向上してなるものであり、置時計や壁掛け時計として好適に利用することが可能である。
【図面の簡単な説明】
【００１８】
【図１】本発明の実施例に係り、時計を示す透視正面図である。
【図２】本発明の実施例に係り、時計を示す透視側面図である。
【図３】本発明の実施例に係り、時計の要部を示す透視正面図である。
【図４】本発明の実施例に係り、時計の要部を示す透視側面図である。
【図５】本発明の実施例に係り、時計の要部を示す側面分解図である。
【図６】本発明の実施例に係り、支持体の説明図であり、（ａ）は支持体の正面図、（ｂ）は（ａ）のＡ−Ａ断面図、（ｃ）は側面図、（ｄ）は背面図、（ｅ）は上面図、（ｆ）は下面図、（ｇ）は（ａ）のＢ−Ｂ断面図である。
【図７】本発明の実施例に係り、支持体の説明図であり、（ａ）は支持体の正面図、（ｂ）は（ａ）のＡ−Ａ断面図、（ｃ）は側面図、（ｄ）は背面図、（ｅ）は上面図、（ｆ）は下面図、（ｇ）は（ａ）のＢ−Ｂ断面図である。
【符号の説明】
【００１９】
１    時計
２００    リング体
３００    指針
３１０    駆動軸
４００    ムーブメント
４１０    出力部
４２０    連結部
４２１    操作子
５００    支持体
５１０    装着部
５１１    雌ねじ部
５１２    開口部
５２０    第２装着部
５２１    雌ねじ部
５３０    蓋部
５３１    凸部
５４０    リブ
５５０    雌ねじ部
６００    パイプ体
６０１    孔部
６０２    第２孔部
６０３    凹部
６０４    通孔
６１０    第２パイプ体
７００    電子装置
８００    雄ねじ部品
【図１】
2007304047.tif 000003
【図２】
2007304047.tif 000004
【図３】
2007304047.tif 000005
【図４】
2007304047.tif 000006
【図５】
2007304047.tif 000007
【図６】
2007304047.tif 000008
【図７】
2007304047.tif 000009